(57)【特許請求の範囲】
【請求項１】
愛玩動物用衣服と、
前記愛玩動物用衣服に取り付けられ、愛玩動物の胴体に覆いかぶさる掛け布材とを備えていることを特徴とする愛玩動物用寝具。
【請求項２】
前記掛け布材は、前記愛玩動物用衣服に対し着脱自在に取り付けられていることを特徴とする、請求項１に記載の愛玩動物用寝具。
【請求項３】
前記掛け布材は、前記愛玩動物用衣服に対し着脱不能に取り付けられていることを特徴とする、請求項１に記載の愛玩動物用寝具。
【発明の詳細な説明】
【技術分野】
【０００１】
本発明は、犬や猫等の愛玩動物用寝具に関する。
【背景技術】
【０００２】
犬や猫等の愛玩動物に人間と同じような衣服を着用させることが行われており、寒い時期の睡眠時に厚手の衣服に愛玩動物を着せ替えさせる飼い主もいる。又、睡眠時に飼い主の寝具に潜り込む愛玩動物は多く、愛玩動物に対して防寒対策の寝具を掛ける飼い主も多い。例えば、特許文献１に愛玩動物に着用させるペット用タオルが記載され、特許文献２に愛玩動物用の防寒具が記載されている。
【先行技術文献】
【特許文献】
【０００３】
【特許文献１】実用新案登録第３１１６１１０号公報
【特許文献２】実用新案登録第３０５１３４６号公報
【発明の概要】
【発明が解決しようとする課題】
【０００４】
ところで、従来は、愛玩動物の飼い主にとって様々な問題がある。例えば、寒い時期の睡眠時に飼い主の寝具に潜り込んでいた愛玩動物が水飲みなどのために寝具から出入りすることがあり、飼い主の睡眠の妨げになる。又、睡眠時の愛玩動物に対して寝具を掛ける飼い主は、ずれ落ちやすい寝具に対して何度も掛けなおす必要があり、愛玩動物の防寒対策に困っている飼い主も多い。
【０００５】
又、従来は、愛玩動物にとっても問題がある。例えば、寒い時期の日中より睡眠時に厚手の衣服に愛玩動物を着せ替えさせる飼い主がいる。しかし、愛玩動物の中には、衣服着脱の苦手な愛玩動物もいて、特に衣服着脱時に手足を触られるのを嫌がる愛玩動物は多い。
【０００６】
本発明は、このような事情に鑑みてなされたものであり、愛玩動物の防寒対策に有用な愛玩動物用寝具を提供することを目的とする。
【課題を解決するための手段】
【０００７】
上記目的を達成するために、本発明は、愛玩動物用衣服と、愛玩動物用衣服に取り付けられ、愛玩動物に覆いかぶさる掛け布材とを備えている愛玩動物用寝具である。愛玩動物用寝具は、掛け布材が愛玩動物用衣服に対して着脱自在に取り付けられていてもよいし、掛け布材が愛玩動物用衣服に対して着脱不能に取り付けられていてもよい。
【発明の効果】
【０００８】
本発明では、例えば寒い時期の睡眠時に愛玩動物に愛玩動物用衣服を着用させることにより、睡眠体制に入ると愛玩動物に掛け布材が被さる。そのため、飼い主の寝具に潜り込む必要がなくなり、愛玩動物の寝具出入りによる飼い主への睡眠妨害がなくなる。又、掛け布材が愛玩動物用衣服に取り付けられているため、掛け布材がずれ落ちず、飼い主にとって寝具を掛けなおす必要がなくなる。
【０００９】
又、愛玩動物用衣服に対して掛け布材が着脱自在の愛玩動物用寝具の場合は、日中に掛け布材を取り外した状態で愛玩動物用衣服を着せ、睡眠時に掛け布材を取り付けることにより愛玩動物の衣服着脱回数を減らすことが出来る。
【００１０】
寒い時期の睡眠時にお腹を丸め体温調節をする愛玩動物には、背中辺りを暖めるだけの衣服よりもお腹まで被さる寝具は有効であり、又、愛玩動物の体温が上がると自由に手足が伸ばせ、安易に体温調節も出来る。このように、本発明の愛玩動物用寝具は、犬や猫などの愛玩動物の防寒対策に有用で、愛玩動物と飼い主の両方に利点がある。
【図面の簡単な説明】
【００１１】
【図１】犬用衣服を着用した犬の背面図
【図２】図１の犬用衣服に着脱アイテムを設けた図
【図３】掛け布材に着脱アイテムを設けた図
【図４】図２の犬用衣服の着脱アイテムと図３の掛け布材の着脱アイテムとを合わせた図
【図５】図４の愛玩動物用寝具を装着した犬の前面図
【図６】図４の愛玩動物用寝具を装着した犬が睡眠体制に入った状態の図
【図７】猫用衣服を着用した猫の背面図
【図８】図７の猫用衣服の接着部分を表した図
【図９】掛け布材の接着部分を表した図
【図１０】愛玩動物用寝具において接着部分を表した図
【図１１】図１０の愛玩動物用寝具を装着した猫の前面図
【図１２】図１０の愛玩動物用寝具を装着した猫が睡眠体制に入った状態の図
【図１３】図１０の愛玩動物用寝具を装着した猫が手足を伸ばしている状態の図
【発明を実施するための形態】
【００１２】
（実施形態１）
以下、図１−図６を参照しながら、実施形態１について詳細に説明する。
【００１３】
図においては、１は犬（愛玩動物）で、２は犬用衣服、３は面ファスナー、４は掛け布材である。愛玩動物用寝具は、犬用衣服２と、犬用衣服２に取り付けられて犬１の胴体に覆いかぶさる掛け布材４とを備えている。なお、掛け布材４は、掛布団であってもよいし、掛け毛布であってもよい。
【００１４】
愛玩動物用寝具では、図１に示す犬用衣服２に面ファスナー３の片側を設け、掛け布材４に面ファスナー３のもう片側を設けている。犬用衣服２と掛け布材４では、少なくとも犬用衣服２の背中側に掛け布材４が重なり合わさるように面ファスナー３を設けている。
【００１５】
面ファスナー３の位置は、図２に示すように、犬用衣服２の肩辺りと尾の辺り等の背中側に設けている。掛け布材４における面ファスナー３の位置は、犬用衣服２の面ファスナー３の位置に対応している。犬用衣服２と掛け布材４とでは、例えば面ファスナー３の個数が同じで、面ファスナー３間の距離が略等しい。図３に示すように、掛け布材４は、例えば略長方形であり、長さ方向の一端側と他端側との各々において幅方向の略中央に面ファスナー３が配置されている。
【００１６】
愛玩動物用寝具は、犬用衣服２を犬１に着用させ、図４に示すように、犬用衣服２と掛け布材４との面ファスナー３同士をくっつけて犬用衣服２に掛け布材４を取り付けて使用する。面ファスナー３同士を合わせると、図５に示すように、掛け布材４が、犬１の胴体に覆いかぶさる。
【００１７】
着脱アイテムの面ファスナー３の位置は、犬用衣服２の肩辺りと尾の辺りに設けているが、首辺りやわき腹辺り又は顎下辺り等でも良い。
【００１８】
図の着脱アイテムは、面ファスナー３を使用しているが、これに限らず例えば、ファスナー、ボタン、スナップ、紐、ホック、留め金具等でも良い。
【００１９】
掛け布材４は、前後は愛玩動物の首辺りから尾の手前まで被せ、愛玩動物が立った状態で両サイドが床にあたらないように切断したものである。例えば、掛け布材４の幅は、掛け布材４が犬用衣服２の前身頃まで左右ともに到達するように設計されている。そのため、図６に示すように、掛け布材４は、犬１のお腹まで覆い被さる。掛け布材４には、天然繊維、化学繊維等の織布、又は不織布等を使用できる。掛け布材４の中に詰め物をする場合は、綿、羊毛・羽毛等を詰め物として使用できる。
【００２０】
（実施形態２）
以下、図７−図１３を参照しながら、実施形態２について詳細に説明する。
【００２１】
図においては、４は掛け布材で、５は猫（愛玩動物）で、６は猫用衣服、７は接着部分である。愛玩動物用寝具は、猫用衣服６と、猫用衣服６に取り付けられて猫５の胴体に覆いかぶさる掛け布材４とを備えている。
【００２２】
猫用衣服６と掛け布材４は、少なくとも猫用衣服６の背中側に掛け布材４が重なり合わさるように接着している。猫用衣服６では、図８に示すように、接着部分７が肩辺りと尾の辺り等の背中側に位置している。掛け布材４では、図９に示すように、長さ方向の一端側と他端側との各々において幅方向の略中央に接着部分７が位置している。図１０に示すように、猫用衣服６と掛け布材４とでは、例えば接着部分７間の距離が略等しい。掛け布材４に大きな皺ができないように、猫用衣服６と掛け布材４とは互いに接着されている。
【００２３】
愛玩動物用寝具では、図１１に示すように、掛け布材４が接着された猫用衣服６を猫５に装着させる。
【００２４】
図では、接着部分７を猫用衣服の肩辺りと尾の辺りに示しているが、首辺りやわき腹辺り、顎下辺り又は、首辺りから尾の辺りまで縦に接着しても良い。
【００２５】
図の接着部分７では、縫製を使用しているが、これに限らず例えば接着ボンド、接着テープ等で固定しても良い。
【００２６】
図では、脱着アイテムと接着を解りやすく説明する為、犬、猫と表したがその限りではない。
【００２７】
以下、実施形態の効果等について説明する。実施形態１では、犬用衣服２と掛け布材４との各々に面ファスナー３を設け、犬１に犬用衣服２を着用させ犬用衣服２の面ファスナー３と掛け布材４の面ファスナー３を合わせ、犬用衣服２を着用した犬１に掛け布材４を被せるものである。
【００２８】
犬用衣服２と掛け布材４との各々に面ファスナー３を設け被せ合わせ犬１に装着させれば、安易に犬用衣服２と掛布材４が着脱できる為、愛玩動物の起床に合わせ掛け布材４を着脱することが出来るものである。
【００２９】
又は、実施形態２では、猫用衣服６と掛け布材４を被せ合わせ符号７の位置で接着し猫５に装着させると、猫用衣服６と掛け布材４とが一体型となっているので、装着させ易い。
【００３０】
本実施形態の愛玩動物用寝具は、愛玩動物の種類や、性質によって、着脱式・接着式を選ぶことが出来どちらも、睡眠体制になると愛玩動物に掛け布材４が覆いかぶさることで防寒対策になる。寒い時期の睡眠時にお腹を丸め体温調節をする愛玩動物には、背中辺りを暖めるだけの衣服よりもお腹まで被さる寝具は有効であり（図１２等参照）、又、図１３に示すように愛玩動物の体温が上がると自由に手足が伸ばせ、安易に体温調節も出来る。
【００３１】
本実施形態の愛玩動物用寝具は、寒い時期の防寒対策は勿論、夏場の冷房等の空調の寒さ対策や体調不良又は、高齢の為体温調節が出来ない愛玩動物にも適している。
【産業上の利用可能性】
【００３２】
以上、本発明の実施形態に係る愛玩動物寝具について説明したが、本発明の実施形態に記載したものに限られることなく、さまざまな設計変更が可能である。例えば、素材、デザイン、色彩および大小等を自由に選択して又、愛玩動物の種類に応じ、形状、寸法を変えて、外用、室内用、医療用、その他に汎用するものであることは勿論である。
【符号の説明】
【００３３】
１      犬
２      犬用衣服
３      面ファスナー
４      掛け布材
５      猫
６      猫用衣服
７      接着部分
【図１】
0006614657.tif 000002
【図２】
0006614657.tif 000003
【図３】
0006614657.tif 000004
【図４】
0006614657.tif 000005
【図５】
0006614657.tif 000006
【図６】
0006614657.tif 000007
【図７】
0006614657.tif 000008
【図８】
0006614657.tif 000009
【図９】
0006614657.tif 000010
【図１０】
0006614657.tif 000011
【図１１】
0006614657.tif 000012
【図１２】
0006614657.tif 000013
【図１３】
0006614657.tif 000014